(57)【要約】【課題】本発明の課題は、２系統の電源のいずれか一方から電力供給を受けており、他方の電源に切り換える動作を行う空気調和装置において、ユーザに不快感を極力与えないように室内機の運転状態を復旧させる空気調和装置を提供することにある。【解決手段】空気調和装置１は、室内ユニット３，４と、室外ユニット２とを備える。室外ユニット２は、第１電源Ｐ１と、第１電源Ｐ１と異なる第２電源Ｐ２とのいずれか一方に電力供給源を切り換える電源切換を行い、電源切換の際に、電源切換が行われることの通知である切換通知を室内ユニット３，４に送信する。【選択図】図２
2010084991.tif 000002
【特許請求の範囲】
【請求項１】
室内ユニット（３，４）と、
第１電源（Ｐ１）と、前記第１電源と異なる第２電源（Ｐ２）とのいずれか一方に電力供給源を切り換える電源切換を行い、前記電源切換の際に、前記電源切換が行われることの通知である切換通知を前記室内ユニットに送信する室外ユニット（２）と、
を備える空気調和装置（１）。
【請求項２】
前記室外ユニットは、前記電源切換を完了する前に前記切り換え通知を前記室内ユニットに送信し、
前記室内ユニットは、前記切換通知を受信した後に、その時の運転状態を第１状態として記憶する切換準備を行う、
請求項１に記載の空気調和装置（１）。
【請求項３】
前記室内ユニットは、前記切換準備が完了すると、前記切換準備が完了したことの通知である準備完了通知を前記室外ユニットに送信する、
請求項２に記載の空気調和装置（１）。
【請求項４】
前記室外ユニットは、前記準備完了通知を受信すると、前記電源切換を行う、
請求項３に記載の空気調和装置（１）。
【請求項５】
前記室外ユニットは、前記電源切換を行った後に、前記電源切換が完了したことの通知である切換完了通知を前記室内ユニットへ送信する、
請求項４に記載の空気調和装置（１）。
【請求項６】
前記室内ユニットは、前記切換完了通知を受信した後に、前記第１状態に前記運転状態を戻す、
請求項５に記載の空気調和装置（１）。
【請求項７】
前記室内ユニットは、前記準備完了通知を送信してから所定時間経過後に、前記第１状態に前記運転状態を戻す、
請求項３から５のいずれかに記載の空気調和装置（１）。
【請求項８】
前記室内ユニットは、膨張機構（Ｖ３１，Ｖ４１）と、室内に送風する空気の風向を変更するルーバ（３４，４４）とを有し、
前記運転状態には、前記膨張機構の開度と前記ルーバの角度とが少なくとも含まれる、
請求項２から７のいずれかに記載の空気調和装置（１）。
【請求項９】
前記運転状態には、冷房運転や暖房運転などの通常運転とは異なる特別制御中の制御状態が含まれる、
請求項２から８のいずれかに記載の空気調和装置（１）。
【請求項１０】
前記室外ユニットは、圧縮機（２１）と、前記圧縮機を駆動するエンジン（２２）と、前記エンジンにより前記圧縮機とともに駆動される発電機（Ｐ２）と、を有し、
前記第１電源は、商用電源であり、
前記第２電源は、前記発電機により発電される電源である、
請求項１から９のいずれかに記載の空気調和装置（１）。
【発明の詳細な説明】
【技術分野】
【０００１】
本発明は、２系統の電源のいずれか一方から電力供給を受ける空気調和装置に関する。
【背景技術】
【０００２】
ガスエンジンを利用して圧縮機を駆動するガスヒートポンプ式の空気調和装置（以下、ＧＨＰとする）には、発電機を内蔵しているものがあり、ガスエンジンが圧縮機を駆動する余力を利用して発電を行うものがある（特許文献１参照）。
【特許文献１】特開２００７−２５２０３３号公報
【発明の開示】
【発明が解決しようとする課題】
【０００３】
このようなＧＨＰにおいては、商用電源と発電機からの電源（以下、発電機電源とする）とを切り換えて運転を行う場合があり、この電源切換の際に瞬間的に停電状態（以下、瞬停状態とする）になるため、室内ユニットの制御状態がリセットされ、室内ユニットが停止状態になったり、室内ユニットに備えられる電動膨張弁やルーバなどを含むアクチュエータが初期状態に戻ってから元の運転状態に戻ろうとするイニシャル動作を行ったりすることになる。このため、室内ユニットが電源の切換を行う前の運転状態になるまでの間にユーザに不快感を与えることになる。また、場合によっては室内ユニットが正常に復旧しないというような不具合が生じる可能性がある。また、このことは、商用電源に接続され発電機を内蔵するようなＧＨＰに限らず、電気式の空気調和装置において商用電源と発電機（例えば、自家用発電機、太陽光発電設備など）とを併用している場合にも同様に言える。
【０００４】
本発明の課題は、２系統の電源のいずれか一方から電力供給を受けており、他方の電源に切り換える動作を行う空気調和装置において、ユーザに不快感を極力与えないように室内機の運転状態を復旧させる空気調和装置を提供することにある。
【課題を解決するための手段】
【０００５】
第１発明に係る空気調和装置は、室内ユニットと、室外ユニットとを備える。室外ユニットは、第１電源と、第１電源と異なる第２電源とのいずれか一方に電力供給源を切り換える電源切換を行い、電源切換の際に、電源切換が行われることの通知である切換通知を室内ユニットに送信する。
【０００６】
本発明では、室外ユニットが、第１電源から第２電源への電源切換、または、第２電源から第１電源への電源切換を行うことが可能な空気調和装置である。そして、室外ユニットが電源切換を行う際に、その旨を知らせる切換通知を室内ユニットへ送信する。
【０００７】
したがって、室内ユニットは、室外ユニットが電源切換を行うことを判定することができる。このため、室内ユニットは、電源切換が行われても不具合が生じないように、電源切換に対して対策をする時間的な余裕を得ることができる。これにより、室外ユニットが電源切換を行っても、室内ユニットは、室内ユニットに生じる不具合を防ぐことができ、ユーザに不快感を極力与えないようにすることができる。
【０００８】
第２発明に係る空気調和装置は、第１発明に係る空気調和装置であって、室外ユニットは、電源切換を完了した直後に切換通知を室内ユニットに送信する。室内ユニットは、切換通知を受信した後に、その時の運転状態を第１状態として記憶する切換準備を行う。
【０００９】
本発明では、室外ユニットが電源切換を行った直後に室内ユニットへ切換通知を送信して、室内ユニットが室外ユニットから送信された切換通知を受信した後に、切換通知を受信した時の室内ユニットの運転状態を第１状態として記憶する。
【００１０】
したがって、室内ユニットは、室外ユニットが電源切換を行った後に、切換準備が行われることにより記憶された第１状態を例えば復元することができる。このため、室外ユニットによる電源切換が行われて、室内ユニットが瞬間的に停電状態になることにより室内ユニットの運転状態がリセットされても、室内ユニットの運転状態を第１状態に維持することができ、ユーザに不快感を極力与えないようにすることができる。
【００１１】
第３発明に係る空気調和装置は、第２発明に係る空気調和装置であって、室内ユニットは、切換準備が完了すると、切換準備が完了したことの通知である準備完了通知を室外ユニットに送信する。
【００１２】
本発明では、室内ユニットは、切換準備を完了すると、室外ユニットへ準備完了通知を送信する。したがって、室外ユニットは、室内ユニットが切換準備が終了したことを確認できる。
【００１３】
第４発明に係る空気調和装置は、第３発明に係る空気調和装置であって、室外ユニットは、準備完了通知を受信すると、電源切換を行う。
【００１４】
本発明では、室外ユニットは、室内ユニットから送信された準備完了通知を受信すると、電源切換を行う。したがって、室内ユニットが切換通知を受信した時の運転状態（すなわち第１状態）を記憶した後に、電源切換を行うことができる。
【００１５】
第５発明に係る空気調和装置は、第４発明に係る空気調和装置であって、室外ユニットは、電源切換を行った後に、電源切換が完了したことの通知である切換完了通知を室内ユニットへ送信する。
【００１６】
本発明では、室外ユニットは、電源切換が完了するとその旨を室内ユニットへ通知する。したがって、室内ユニットは、室外ユニットが電源切換完了したことをすぐに認識することができる。
【００１７】
第６発明に係る空気調和装置は、第５発明に係る空気調和装置であって、室内ユニットは、切換完了通知を受信した後に、第１状態に運転状態を戻す。
【００１８】
本発明では、室内ユニットは、室外ユニットが送信した切換完了通知を受信すると、その直後に室内ユニットの運転状態を第１状態に戻す。したがって、室内ユニットは、室外ユニットが電源切換完了したことをすぐに認識し、その認識に基づいて室内ユニットの運転状態を電源切換前の第１状態に戻すことができる。このため、室外ユニットによる電源切換が行われて、室内ユニットが瞬間的に停電状態になることにより室内ユニットの運転状態がリセットされても、室内ユニットの運転状態を第１状態に維持することができ、ユーザに不快感を極力与えないようにすることができる。
【００１９】
第７発明に係る空気調和装置は、第３発明から第５発明のいずれかに係る空気調和装置であって、室内ユニットは、準備完了通知を送信してから所定時間経過後に、第１状態に運転状態を戻す。
【００２０】
本発明では、室内ユニットは、準備完了通知を送信後に、例えばタイマにより所定時間をカウントして所定時間経過した後に、室内ユニットの運転状態を第１状態に戻す。この場合の所定時間とは、室内ユニットが準備完了通知を室外ユニットへ送信して、室外ユニットが電源切換を完了するまでにかかる時間よりも、少なくとも長い時間とする。したがって、室内ユニットは、室外ユニットが電源切換を完了した後に、所定時間をカウントすることで電源切換が完了したものと判断できる。
【００２１】
第８発明に係る空気調和装置は、第２発明から第７発明のいずれかに係る空気調和装置であって、室内ユニットは、膨張機構と、室内に送風する空気の風向を変更するルーバとを有する。運転状態には、膨張機構の開度とルーバの角度とが少なくとも含まれる。
【００２２】
本発明では、室内ユニットが膨張機構とルーバとを有しており、室内ユニットの運転状態は、膨張機構の開度とルーバの角度とが少なくとも含まれる。すなわち、室内ユニットは、切換準備の際に、少なくとも膨張機構の開度とルーバの角度とを第１状態として記憶することになる。したがって、室内ユニットが瞬間的に停電状態になることにより室内ユニットが有する膨張機構の開度とルーバの角度とがリセットされても、それらを第１状態に維持することができ、ユーザに不快感を極力与えないようにすることができる。
【００２３】
第９発明に係る空気調和装置は、第２発明から第７発明のいずれかに係る空気調和装置であって、運転状態には、冷房運転や暖房運転などの通常運転とは異なる特別制御中の制御状態が含まれる。
【００２４】
本発明では、室内ユニットの運転状態に、冷房運転や暖房運転などの通常運転とは異なる特別制御中の制御状態が含まれる。例えば、特別制御には、露付回避制御や凍結防止制御などが含まれる。露付回避制御は、冷房運転時において、室内ユニット内部で熱交換された後の空気が吹き出される吹出口や吹出口に付近に設けられるルーバに、露付きが起こることを防ぐ制御である。また、凍結防止制御は、室内ユニットの内部に設けられる熱交換器（室内熱交換器）に露付きや凍結が起こることを防ぐ制御である。そして、これらの特別制御では、タイマによりその制御時間がカウントされており、例えば特別制御中の制御状態にはタイマによるカウントが含まれる。
【００２５】
したがって、上述したような特別制御中に、電源切換が行われた場合に、特別制御が例えばどの程度進行していたかどうかという情報（すなわち特別制御中の制御状態）がリセットされて、再度はじめから特別制御が行われたり、特別制御が十分に行われていない状態のまま通常運転に戻ったりしてしまうという不具合が起こることを防ぐことができる。
【００２６】
第１０発明に係る空気調和装置は、第１発明から第９発明のいずれかに係る空気調和装置であって、室外ユニットは、圧縮機と、圧縮機を駆動するエンジンと、エンジンにより圧縮機とともに駆動される発電機と、を有する。第１電源は、商用電源である。第２電源は、発電機により発電される電源である。
【００２７】
本発明では、室外ユニットが圧縮機とエンジンと発電機とを有する。そして、第１電源として商用電源が利用されており、第２電源として発電機が利用されている。したがって、電源として商用電源と発電機が発電する電源とを併用している空気調和装置において、商用電源から発電機への電源切換、または、発電機から商用電源への電源切換が行われる際に、室内ユニットは、電源切換が行われても不具合が生じないように、電源切換に対して対策をする時間的な余裕を得ることができる。これにより、室外ユニットが電源切換を行っても、室内ユニットは、室内ユニットに生じる不具合を防ぐことができ、ユーザに不快感を極力与えないようにすることができる。
【発明の効果】
【００２８】
第１発明に係る空気調和装置では、室内ユニットは、室外ユニットが電源切換を行うことを判定することができる。このため、室内ユニットは、電源切換が行われても不具合が生じないように、電源切換に対して対策をする時間的な余裕を得ることができる。これにより、室外ユニットが電源切換を行っても、室内ユニットは、室内ユニットに生じる不具合を防ぐことができ、ユーザに不快感を極力与えないようにすることができる。
【００２９】
第２発明に係る空気調和装置では、室内ユニットは、室外ユニットが電源切換を行った後に、切換準備が行われることにより記憶された第１状態を例えば復元することができる。このため、室外ユニットによる電源切換が行われて、室内ユニットが瞬間的に停電状態になることにより室内ユニットの運転状態がリセットされても、室内ユニットの運転状態を第１状態に維持することができ、ユーザに不快感を極力与えないようにすることができる。
【００３０】
第３発明に係る空気調和装置では、室外ユニットは、室内ユニットが切換準備が終了したことを確認できる。
【００３１】
第４発明に係る空気調和装置では、室内ユニットが切換通知を受信した時の運転状態（すなわち第１状態）を記憶した後に、電源切換を行うことができる。
【００３２】
第５発明に係る空気調和装置では、室内ユニットは、室外ユニットが電源切換完了したことをすぐに認識することができる。
【００３３】
第６発明に係る空気調和装置では、室内ユニットは、室外ユニットが電源切換完了したことをすぐに認識し、その認識に基づいて室内ユニットの運転状態を電源切換前の第１状態に戻すことができる。このため、室外ユニットによる電源切換が行われて、室内ユニットが瞬間的に停電状態になることにより室内ユニットの運転状態がリセットされても、室内ユニットの運転状態を第１状態に維持することができ、ユーザに不快感を極力与えないようにすることができる。
【００３４】
第７発明に係る空気調和装置では、室内ユニットは、室外ユニットが電源切換を完了した後に、所定時間をカウントすることで電源切換が完了したものと判断できる。
【００３５】
第８発明に係る空気調和装置では、室内ユニットが瞬間的に停電状態になることにより室内ユニットが有する膨張機構の開度とルーバの角度とがリセットされても、それらを第１状態に維持することができ、ユーザに不快感を極力与えないようにすることができる。
【００３６】
第９発明に係る空気調和装置では、特別制御中に電源切換が行われた場合に、特別制御が例えばどの程度進行していたかどうかという情報（すなわち特別制御中の制御状態）がリセットされて、再度はじめから特別制御が行われたり、特別制御が十分に行われていない状態のまま通常運転に戻ったりしてしまうという不具合が起こることを防ぐことができる。
【００３７】
第１０発明に係る空気調和装置では、電源として商用電源と発電機が発電する電源とを併用している空気調和装置において、商用電源から発電機への電源切換、または、発電機から商用電源への電源切換が行われる際に、室内ユニットは、電源切換が行われても不具合が生じないように、電源切換に対して対策をする時間的な余裕を得ることができる。これにより、室外ユニットが電源切換を行っても、室内ユニットは、室内ユニットに生じる不具合を防ぐことができ、ユーザに不快感を極力与えないようにすることができる。
【発明を実施するための最良の形態】
【００３８】
以下、図面に基づいて、本発明に係る空気調和装置１の実施形態について説明する。図１に、本発明の一実施形態に係る空気調和装置１の冷媒回路１０の概略図を示す。
【００３９】
＜空気調和装置の冷媒回路の構成＞
空気調和装置１は、ガスエンジン２２を動力源として圧縮機２１（後述参照）を駆動させることで、冷凍サイクル運転を行っている。空気調和装置１は、主として、１台の熱源ユニットとしての室外ユニット２と、それに接続された利用ユニットとしての室内ユニット３，４と、室外ユニット２と室内ユニット３，４とを接続する冷媒連絡配管５とを備えている。冷媒連絡配管５は、液冷媒連絡配管５ａとガス冷媒連絡配管５ｂとから構成される。すなわち、空気調和装置１の冷媒回路１０は、室外ユニット２と室内ユニット３とが冷媒連絡配管５により接続されることによって構成されている。
【００４０】
（１）室外ユニット
室外ユニット２は、ビル等の室外に設置されており、冷媒連絡配管５を介して室内ユニット３，４に接続されており、冷媒回路１０を構成している。
【００４１】
次に、室外ユニット２の構成について説明する。室外ユニット２は、主として、冷媒回路１０の一部を構成する室外側冷媒回路１１を有している。また、室外ユニット２は、ガスエンジン２２を冷却しつつ、その廃熱を利用するための冷却水回路（図示せず）を有しているが、ここでは説明を省略する。
【００４２】
室外側冷媒回路１１は、主として、圧縮機２１と、四路切換弁Ｖ２１と、熱源側熱交換器としての室外熱交換器２３と、膨張機構としての室外膨張弁Ｖ２２と、液側閉鎖弁Ｖ２３と、ガス側閉鎖弁Ｖ２４とを有している。
【００４３】
圧縮機２１は、運転容量を可変することが可能な圧縮機であり、本実施形態において、回転数制御可能なガスエンジン２２によって駆動される容積式圧縮機である。
【００４４】
四路切換弁Ｖ２１は、室外熱交換器２３を凝縮器または蒸発器として機能させるために設けられた弁である。四路切換弁Ｖ２１は、室外熱交換器２３と、圧縮機２１の吸入側と、圧縮機２１の吐出側と、ガス冷媒連絡配管５ｂとに接続されている。そして、室外熱交換器２３を凝縮器として機能させる際には、圧縮機２１の吐出側を室外熱交換器２３と接続するとともに、圧縮機２１の吸入側とガス冷媒連絡配管５ｂとを接続する（図１の実線の状態）。逆に、室外熱交換器２３を蒸発器として機能させる際には、圧縮機２１の吸入側を室外熱交換器２３と接続するとともに、圧縮機２１の吐出側とガス冷媒連絡配管５ｂとを接続する（図１の破線の状態）。
【００４５】
室外熱交換器２３は、凝縮器または蒸発器として機能させることが可能な熱交換器であり、本実施形態において、空気を熱源として冷媒と熱交換するクロスフィン式のフィン・アンド・チューブ型熱交換器である。室外熱交換器２３は、一方が四路切換弁Ｖ２１に接続され、他方が室外膨張弁Ｖ２２および液側閉鎖弁Ｖ２３を介して液冷媒連絡配管５ａに接続されている。
【００４６】
室外膨張弁Ｖ２２は、室外側冷媒回路１１内を流れる冷媒の圧力や流量等の調節を行うために、室外熱交換器２３と液側閉鎖弁Ｖ２３との間に接続された電動膨張弁である。
【００４７】
また、室外ユニット２は、ユニット内に室外空気を吸入して、室外熱交換器２３において冷媒と熱交換させた後に、室外に排出するための送風ファンとしての室外ファン２４を有している。この室外ファン２４は、室外熱交換器２３に供給する空気の風量を可変することが可能なファンであり、本実施形態において、ＤＣファンモータからなるモータ２４ａによって駆動されるプロペラファン等である。
【００４８】
（各種センサおよび室外側制御部）
また、室外ユニット２には、各種のセンサが設けられている。具体的には、室外ユニット２には、圧縮機２１の吐出圧力を検出する吐出圧力センサＰ２１と、圧縮機２１の吐出温度を検出する吐出温度センサＴ２１とが設けられている。また、室外熱交換器２３には、室外熱交換器２３内を流れる冷媒の温度（すなわち、冷房運転時における凝縮温度または暖房運転時における蒸発温度に対応する冷媒温度）を検出する室外熱交温度センサＴ２２が設けられている。室外ユニット２の室外空気の吸入口側には、ユニット内に流入する室外空気の温度（すなわち、室外温度）を検出する室外温度センサＴ２３が設けられている。本実施形態において、吐出温度センサＴ２１、室外熱交温度センサＴ２２、および室外温度センサＴ２３は、サーミスタからなる。
【００４９】
また、室外ユニット２は、室外ユニット２を構成する各部の動作を制御する室外側制御部２５を有している。そして、室外側制御部２５は、室外ユニット２の制御を行うために設けられたマイクロコンピュータ、ガスエンジン２２などを制御する制御回路等を有しており、後述する室内ユニット３の室内側制御部３３，４３との間で伝送線６ａを介して制御信号等のやりとりを行うことができるようになっている。すなわち、室外側制御部２５と室内側制御部３３，４３と各制御部間を接続する伝送線６ａとによって、空気調和装置１全体の運転制御を行う制御部６が構成されている。そして、制御部６は、時間をカウントするタイマ６１と各種センサＰ２１，Ｔ２１〜Ｔ２３，Ｔ３１〜Ｔ３４の検出信号やタイマ６１のカウント値を記憶できるメモリ６２とを有している。
【００５０】
制御部６は、各種センサＰ２１，Ｔ２１〜Ｔ２３，Ｔ３１〜Ｔ３４の検出信号を受けることができるように接続されるとともに、これらの検出信号等に基づいて各種機器２２，２４，３２，４２および弁Ｖ２１，Ｖ２２，Ｖ３１，Ｖ４１を制御することができるように接続されている（図２参照）。
【００５１】
（２）室内ユニット
室内ユニット３，４は、ビル等の室内の天井に埋め込みや吊り下げ等、または、室内の壁面に壁掛け等により設置されている。室内ユニット３，４は、冷媒連絡配管５を介して室外ユニット２に接続されており、冷媒回路１０の一部を構成している。
【００５２】
次に、室内ユニット３，４の構成について説明する。なお、室内ユニット３と室内ユニット４とは同様の構成であるため、ここでは、室内ユニット３の構成のみ説明し、室内ユニット４の構成については、それぞれ、室内ユニット３の各部を示す３０番台の符号の代わりに４０番台の符号を付して（Ｖ３０番台であればＶ４０番台、Ｔ３０番台であればＴ４０番台の符号を付す）、各部の説明を省略する。
【００５３】
室内ユニット３は、主として、冷媒回路１０の一部を構成する室内側冷媒回路１３を有している。この室内側冷媒回路１３は、主として、利用側熱交換器としての室内熱交換器３１と、膨張機構としての室内膨張弁Ｖ３１とを有している。なお、室内ユニット３が有する室内側冷媒回路１３は、室内ユニット４においては室内側冷媒回路１４に相当する。
【００５４】
室内熱交換器３１は、伝熱管と多数のフィンとにより構成されたクロスフィン式のフィン・アンド・チューブ型熱交換器であり、冷房運転時には冷媒の蒸発器として機能して室内空気を冷却し、暖房運転時には冷媒の凝縮器として機能して室内空気を加熱する熱交換器である。
【００５５】
室内膨張弁Ｖ３１は、室外膨張弁Ｖ２２と同様に、室内側冷媒回路１３内を流れる冷媒の圧力や流量等の調節を行うために、室内熱交換器３１の液側に接続された電動膨張弁である。
【００５６】
また、室内ユニット３は、室内空気をユニット内に吸入して、室内熱交換器３１において冷媒と熱交換させた後に、供給空気として室内に供給する送風ファンとしての室内ファン３２を有している。室内ファン３２は、室内熱交換器３１に供給する空気の風量を可変することが可能なファンであり、本実施形態において、ＤＣファンモータからなるモータ３２ａによって駆動される遠心ファンや多翼ファン等である。
【００５７】
また、室内ユニット３は、室内ファン３２により送り出される空気を吹き出す吹出口（図示せず）と、吹出口に備えられ吹き出される空気の方向を変更できるルーバ３４とを有している。なお、ルーバ３４は、細長い板状の部材であり、長手方向に平行な線を回転軸にすることで吹出口から吹き出される空気の方向を変更する。
【００５８】
また、室内ユニット３には、各種のセンサが設けられている。室内熱交換器３１の液側には、冷媒の温度（すなわち、暖房運転時における凝縮温度または冷房運転時における蒸発温度に対応する冷媒温度）を検出する液側温度センサＴ３１が設けられている。室内熱交換器３１のガス側には、冷媒の温度を検出するガス側温度センサＴ３２が設けられている。室内ユニット３の室内空気の吸入口側には、ユニット内に流入する室内空気の温度を検出する室内温度センサＴ３３が設けられている。また、室内熱交換器３１には、室内熱交換器３１内を流れる冷媒の温度（すなわち、冷房運転時における蒸発温度または暖房運転時における凝縮温度に対応する冷媒温度）を検出する室内熱交温度センサＴ３４が設けられている。本実施形態において、液側温度センサＴ３１、ガス側温度センサＴ３２、室内温度センサＴ３３、および室内熱交温度センサＴ３４は、サーミスタからなる。
【００５９】
また、室内ユニット３は、室内ユニット３を構成する各部の動作を制御する室内側制御部３３を備えている。そして、室内側制御部３３は、室内ユニット３の制御を行うために設けられたマイクロコンピュータやメモリ等を有しており、室内ユニット３を個別に操作するためのリモコン（図示せず）との間で制御信号等のやりとりや、室外ユニット２との間で伝送線６ａを介して制御信号等のやりとり等を行うことができるようになっている。
【００６０】
（３）冷媒連絡配管
冷媒連絡配管５は、空気調和装置１をビル等の設置場所に設置する際に、現地にて施工される冷媒配管であり、設置場所や室外ユニット２と室内ユニット３との組み合わせ等の設置条件に応じて種々の長さや管径を有するものが使用される。
【００６１】
＜空気調和装置の電源系統＞
空気調和装置１がその運転に利用する電源は、商用電源Ｐ１と発電機Ｐ２との２系統の電源を利用している。すなわち、空気調和装置１では、これらの電源が、室外ユニット２および室内ユニット３、４が有している各機器に、電力を供給することになる。図２に、その電源系統の概略図を示す。
【００６２】
室外ユニット２には、商用電源Ｐ１に接続されており、交流の商用電源Ｐ１から直流に変換するＡＣ／ＤＣコンバータ２６と、ガスエンジン２２の動力を利用して発電する発電機Ｐ２と、商用電源Ｐ１から得られる電力と発電機Ｐ２から得られる電力とを切り換える切換スイッチ２７とが備えられており、それらが主に空気調和装置１の電源系統を構成している。
【００６３】
室内ユニット３，４には、室外ユニット２から電力が供給されており、室外ユニット２の切換スイッチ２７により、室内ユニットに供給される電力が商用電源Ｐ１から得られる電力と発電機Ｐ２から得られる電力との切換（以下、電源切換とする）が行われる。なお、この電源切換は、室外ユニット２に備えられる室外側制御部２５により制御され、例えば、定常的にガスエンジン２２が駆動されて発電機Ｐ２による発電が見込まれる場合に、商用電源Ｐ１から発電機Ｐ２への電源の切換が行われ、省エネルギーを図ることができる。
【００６４】
＜空気調和装置の動作＞
次に、本実施形態の空気調和装置１の動作について説明する。
【００６５】
本実施形態の空気調和装置１の運転モードとしては、室内ユニット３，４の運転負荷に応じて、室外ユニット２および室内ユニット３，４の制御を行う通常運転モードと、室内ユニット３，４に不具合が起こることを防止する特別制御モードとがある。
【００６６】
以下、空気調和装置１のモードにおける動作について説明する。
【００６７】
（１）通常運転モード
通常運転モードには、室内熱交換器３１，４１を蒸発器として、かつ、室外熱交換器２３を凝縮器として機能させる冷房運転と、室内熱交換器３１，４１を凝縮器として、かつ、室外熱交換器２３を蒸発器として機能させる暖房運転とがある。
【００６８】
（冷房運転）
まず、冷房運転について、図１を用いて説明する。この冷房運転の説明は室内ユニット３のみを冷房状態にすることを例にして説明する。他に、室内ユニット４のみを冷房状態にする場合と、室内ユニット３，４を冷房状態にする場合とがあるが、いずれも、運転する台数が異なるか、運転する室内ユニットが異なるかの違いのみであるため、説明は省略する。冷房運転時は、室外ユニット２の室外側冷媒回路１１において、四路切換弁Ｖ２１が図１の実線で示される状態に切り換えられることによって、室外熱交換器２３が凝縮器として機能し、かつ、室内熱交換器３１が蒸発器として機能するようになっている。
【００６９】
この冷媒回路１０の状態で、圧縮機２１、室外ファン２４、および室内ファン３２を起動すると、低圧のガス冷媒は、圧縮機２１に吸入されて圧縮されて高圧のガス冷媒となる。高圧に圧縮されたガス冷媒は、室外熱交換器２３に流入する。このとき室外熱交換器２３は、凝縮器として機能し室外ファン２４によって供給される室外空気に熱を放出して冷媒を冷却する。高圧のガス冷媒は、凝縮されて高圧の液冷媒になる。室外膨張弁Ｖ２２は全開となり、高圧の液冷媒は、室外膨張弁Ｖ２２では減圧されず、そのまま液側閉鎖弁Ｖ２３および液冷媒連絡配管５ａを介して室内ユニット３に送られる。
【００７０】
そして、室内ユニット３に送られた高圧の液冷媒は、室内膨張弁Ｖ３１により高圧の状態から低圧まで減圧されて気液二相状態の冷媒となって、室内熱交換器３１において室内空気と熱交換を行って蒸発して低圧のガス冷媒となる。このとき熱交換された室内空気は冷却されて室内に送り込まれる。低圧のガス冷媒は、ガス冷媒連絡配管５ｂを経由して室外ユニット２に送られ、ガス側閉鎖弁Ｖ２４を通じて、再び、圧縮機２１に吸入される。
【００７１】
（暖房運転）
暖房運転の説明も冷房運転の場合と同様に、室内ユニット３のみを暖房状態にした場合を例にして説明し、他の場合についての説明は省略する。暖房運転時は、室外ユニット２の室外側冷媒回路１１において、四路切換弁Ｖ２１が図１の破線で示される状態に切り換えられることによって、室外熱交換器２３が蒸発器として機能し、かつ、室内熱交換器３１が凝縮器として機能するようになっている。
【００７２】
この冷媒回路１０の状態で、圧縮機２１、室外ファン２４、および室内ファン３２を起動すると、低圧のガス冷媒は、圧縮機２１に吸入されて圧縮されて高圧のガス冷媒となり、四路切換弁Ｖ２１、ガス側閉鎖弁Ｖ２４を経由して、ガス冷媒連絡配管５ｂに送られる。
【００７３】
そして、ガス冷媒連絡配管５ｂに送られた高圧のガス冷媒は、室内ユニット３に送られる。この室内ユニット３に送られた高圧のガス冷媒は、室内熱交換器３１に送られる。この冷媒は、室内熱交換器３１において、室内空気と熱交換を行って冷却されて高圧の液冷媒となった後、そのまま全開になっている室内膨張弁Ｖ３１を通過し、液冷媒連絡配管５ａを経由して室外ユニット２に送られる。この液冷媒は、液側閉鎖弁Ｖ２３を経由して、室外膨張弁Ｖ２２により高圧の状態から低圧まで減圧され気液二相状態の冷媒となって、室外熱交換器２３へ流入する。
【００７４】
この冷媒は、室外熱交換器２３において外気と熱交換を行って蒸発して低圧のガス冷媒となる。低圧のガス冷媒は、四路切換弁Ｖ２１を経由して、再び、圧縮機２１に吸入される。
【００７５】
（２）特別制御モード
特別制御モードには、冷房運転時において、室内ユニット３，４内部で熱交換された後の空気が吹き出される吹出口（図示せず）や吹出口付近に設けられるルーバ３４，４４に、露付が起こることを防ぐ露付回避制御と、室内熱交換器３１，４１に露付や凍結が起こることを防ぐ凍結防止制御とがある。この特別制御モードでは、通常運転モードにおいて、常時、制御部６が室内ユニット３，４の状態を監視しており、所定の条件になると行われる制御となっている。
【００７６】
以下、具体的に露付回避制御と凍結防止制御とについて説明する。
【００７７】
（露付回避制御）
露付回避制御は、室内ユニット３のみに適用された場合について説明し、上述した冷房運転および暖房運転の場合と同様に他の場合についての説明は省略する。なお、露付回避制御は、室内ユニット３と室内ユニット４とにおいてそれぞれ独立して制御されるものである。露付回避制御は、通常運転モードの冷房運転において、露付条件を満たす場合に、開始される。具体的には、露付回避制御が開始されると、ルーバ３４を水平方向に設定した状態における運転が１時間行われる。なお、ここにいう「露付条件」とは、ルーバ３４が下向きに設定され、かつ、冷房運転状態が２０分間続いた場合である。また、「露付条件」は、機種や能力の程度などに応じて最適化されるものであり、上記の条件に限定するものではない。露付回避制御では、通常運転モードの冷房運転において、制御部６が、ルーバ３４の設定位置とタイマ６１とを監視することにより、露付条件を満たすか否かを判定している。そして、露付回避制御が開始されると、制御部６は、タイマ６１により１時間カウントを行う。タイマ６１が１時間のカウントを終えると、露付回避制御で行われているルーバを水平方向に設定した状態における運転を終了させ、もとの運転である通常運転モードの冷房運転に戻る。このように、露付回避制御においては、吹出口やルーバ３４に露付が起こりやすい条件（露付条件）となったときに、ルーバ３４を水平方向に設定した状態における運転を行うことにより吹出口やルーバ３４に露付が起こることを防ぐことができる。
【００７８】
（凍結防止制御）
凍結防止制御は、室内ユニット３のみに適用された場合について説明し、上述した冷房運転、暖房運転、および露付回避制御の場合と同様に他の場合についての説明は省略する。凍結防止制御は、通常運転モードの冷房運転において、凍結条件を満たす場合に、開始される。凍結防止制御が開始されると、圧縮機２１を駆動させずに室内ファン３２のみを運転させる送風運転が行われ、凍結復帰条件が満たされるともとの運転である通常運転モードの冷房運転に戻る。なお、ここにいう「凍結条件」および「凍結復帰条件」は、図４に示すように、室内熱交温度センサＴ３４，Ｔ４４が検出する室内熱交換器温度に基づいて判定される。
【００７９】
次に、図４に基づいて、凍結防止制御の動作について説明する。冷房運転が開始されてから８分以上経過後であって室内熱交換器温度が−１℃未満の状態（第１室内熱交状態）で、連続１分間の冷房運転が継続される場合（凍結条件）に、圧縮機の駆動が停止され送風運転（いわゆるサーモオフ運転）が行われる。
【００８０】
また、室内熱交換器温度が−１℃以上４℃未満の状態（第２室内熱交状態）であると、タイマ６１によるカウントが行われて、タイマ６１が連続４０分間の冷房運転が継続される場合に（凍結条件）、サーモオフ運転が行われる。
【００８１】
また、室内熱交換器温度が４度以上の状態（第３室内熱交状態）で連続２０分間の冷房運転が継続される場合（タイマリセット条件）に、タイマ６１によるカウントが行われている場合にタイマ６１によるカウントがリセットされる。
【００８２】
また、室内熱交換器温度が７度以上の状態（第４室内熱交状態）で連続１０分間の冷房運転が継続される場合（タイマリセット条件および凍結復帰条件）であって、サーモオフ運転が行われている場合に凍結防止制御を終了してもとの運転である通常運転モードの冷房運転に戻り、また、タイマ６１によるカウントがおこなわれている場合にはタイマ６１によるカウントがリセットされる。
【００８３】
このように、凍結防止制御では、室内熱交換器の状態が第１室内熱交状態、第２室内熱交状態、第３室内熱交状態、および第４室内熱交状態と４つの状態に分類され、その４つの状態においてタイマ６１によるカウントやタイマ６１によるカウントリセットが行われることになる。なお、凍結防止制御における凍結条件および凍結復帰条件は、室内熱交換器温度の条件、タイマ６１の条件、冷房運転の連続運転の条件などは、機種や能力の程度などに応じて最適化されるものであり、上記の条件に限定するものではない。
【００８４】
＜電源切換時の動作＞
空気調和装置１は、上述したように、商用電源Ｐ１の他に、発電機Ｐ２を備えており、室内ユニット３，４が利用する電源として２種類の電源から利用する電力の電源を選択できる。したがって、発電機Ｐ２を定常的に利用できる場合には、室内ユニット３，４が消費する電力の電源を積極的に発電機Ｐ２にすることで、商用電源Ｐ１から室内ユニット３，４へ供給する分の電力を削減できるため、省エネルギー化を図ることができるというメリットがある。しかしながら、商用電源Ｐ１から発電機Ｐ２への電源切換を行う場合に、何も準備することなく電源切換（切換スイッチ２７の切換）を行うと、瞬間的に機器が停電状態となり、それまで行っている室内ユニット３，４の制御状態を失ってしまうことになる。なお、ここに言う「制御状態」とは、室内ユニット３，４のＯＮ／ＯＦＦ状態（後述参照）、室内ユニット３，４の運転モード、室内膨張弁Ｖ３１，Ｖ４１の開度、ルーバ３４，４４の角度、室内ファンのＯＮ／ＯＦＦ状態、特別制御モードにおけるタイマ６１のカウントなどのことである。停電状態になると、室内ユニット３，４は、そのときの制御状態を失ってしまうことになり、電力が復旧した場合に、室内ユニット３，４はイニシャル動作を行うことになる。なお、ここにいう「イニシャル動作」とは、例えば、ルーバ３４，４４が行うイニシャル動作は開度ゼロの状態に戻ってから最適な状態に制御されるまでの動作であり、室内膨張弁Ｖ３１，Ｖ４１が行うイニシャル動作は全閉または全開の状態に戻ってから最適な状態に制御されるまでの動作であり、室内ファン３２，４２が行うイニシャル動作は停止の状態に戻ってから最適な状態に制御されるまでの動作のことである。このように、イニシャル動作が行われることになると、室内ユニット３，４がもとの最適な状態で動作するまでに時間がかかることになり、その間の室内ユニット３，４の制御状態は室内に対して最適に動作していない状態となる可能性が高いため、ユーザに不快感を与えてしまうおそれがある。したがって、空気調和装置１では、電源切換時に以下のような制御（以下、電源切換制御とする）を行い、イニシャル動作が起こらないようにし、室内ユニット３，４の制御状態が直ちに最適な状態になるようにしている。図５，６は、その電源切換制御の処理の流れを表すフローチャート図である。また、図７は、電源切換制御のタイムチャート図である。
【００８５】
なお、電源切換制御には、商用電源Ｐ１から発電機Ｐ２への電源切換を行う場合（図５参照）と、発電機Ｐ２から商用電源Ｐ１への電源切換を行う場合（図６参照）とがある。そして、電源切換制御は、空気調和装置１を起動すると開始され、空気調和装置１が運転状態（この場合の運転状態は、電源がＯＮの状態のことであり、圧縮機２１の駆動の有無には関わらない）にあるときに常に行われていることになる制御である。なお、電源切換制御は、これに限定されずに、空気調和装置１が運転状態にあるときに常に行われていなくとも良く、リモコン（図示せず）などの入力手段によりユーザが省エネルギーモードに切り換えたときのみに行われるようにしても良い。この場合には、ユーザが入力手段により省エネルギーモードに切り換えたときが電源切換制御の開始条件となる。
【００８６】
（商用電源から発電機への電源切換）
まず、ステップＳ１では、制御部６が目標温度（リモコンなどの入力手段によりユーザが設定する室内温度の目標設定値）、室内温度、および圧縮機の回転数に基づいて、商用電源Ｐ１から発電機Ｐ２への電源切換を行うか否かを判定する。すなわち、制御部６は、商用電源Ｐ１から発電機Ｐ２への電源切換を行うのに適した条件（第１切換条件）であるか否かを判定している。なお、ここで制御部６が判定する条件は、空気調和装置の機種や能力によって異なるが、圧縮機２１が継続して運転されるような場合（例えば、室外から流入してくる熱負荷が大きい場合、室内のＯＡ機器や人などの熱負荷が大きい場合など）における目標温度、室内温度、圧縮機の回転数などの条件である。なお、制御部６が電源切換を行うか否かを判定する条件は、室内の熱負荷が空気調和装置１の能力に対してどの程度のものか、あるいは、発電機Ｐ２の発電量がどの程度のものかを判定できればよく、目標温度、室内温度、および圧縮機の回転数に限定するものではない。ステップＳ１により、その時の目標温度、室内温度、および圧縮機の回転数が電源切換を行うのに適した条件であると制御部６が判定すると次のステップＳ２へ移行し、その時の目標温度、室内温度、および圧縮機の回転数が電源切換を行うのに適した条件でないと制御部６が判定するとステップＳ１へ戻る。
【００８７】
ステップＳ２では、室外ユニット２が、電源切換を行う予告を切換通知として室内ユニット３，４へ送信する。ステップＳ２が終了すると、ステップＳ３へ移行する。
【００８８】
ステップＳ３では、室内ユニット３，４は、室外ユニット２から送信された電源切換通知を受信して、室内ユニット３，４の各機器３２，３４，Ｖ３１，４２，４４，Ｖ４１を停止させる。このとき、室内ユニット３，４の電源は、ＯＮのままにしておく。ステップＳ３が終了すると、ステップＳ４へ移行する。
【００８９】
ステップＳ４では、室内ユニット３，４では、室内側制御部３３，４３が室内ユニット３，４の各機器３２，３４，Ｖ３１，４２，４４，Ｖ４１を停止させたときの制御状態をメモリ６２に記憶する。例えば、室内ユニット３，４の運転モード、室内膨張弁Ｖ３１，Ｖ４１の開度、ルーバ３４，４４角度などの運転データを記憶したり、室内ユニット３，４のＯＮ／ＯＦＦの状態や室内ファン３２，４２のＯＮ／ＯＦＦの状態を記憶したりする（図７参照）。なお、ここにいう「室内ユニット３，４のＯＮ／ＯＦＦの状態」とは、室内ユニット３または室内ユニット４を運転させているか否かの状態をさすものであり、例えば空気調和装置１を運転させていても室内ユニット３のみを運転しており室内ユニット４は停止している状態であれば、室内ユニット３はＯＮ状態で室内ユニット４はＯＦＦ状態となる。また、電源切換の場合に、室内ユニット３，４が特別制御モードの露付回避制御中であればその時のタイマ６１によりカウントされた値が記憶され、室内ユニット３，４が特別制御モードの凍結防止制御中であれば第１室内熱交状態、第２室内熱交状態、第３室内熱交状態、および第４室内熱交状態の室内熱交状態とタイマ６１によりカウントされた値が記憶される。ステップＳ４が終了すると、ステップＳ５へ移行する。
【００９０】
ステップＳ５では、室内ユニット３，４は、電源切換への準備（ステップＳ４において行われた各種制御状態の記憶）が室内ユニット３，４において完了したことを示す切換準備完了通知を室外ユニット２へ送信する。ステップＳ５が終了すると、ステップＳ６へ移行する。
【００９１】
ステップＳ６では、室外ユニット２は、室内ユニット３，４から送信された切換準備完了通知を受信して、商用電源Ｐ１から発電機Ｐ２への電源切換を行う。この電源切換は、制御部６が切換準備完了通知を室外ユニット２が受信したことを確認してから切換スイッチ２７を切り換えることにより行われる。ステップＳ６が終了すると、ステップＳ７へ移行する。
【００９２】
ステップＳ７では、室外ユニット２は、電源切換が終了したことを示す切換完了通知を室内ユニット３，４へ送信する。ステップＳ７が終了すると、ステップＳ８へ移行する。
【００９３】
ステップＳ８では、室内ユニット３，４は、室外ユニット２から送信された切換完了通知を受信して、室内ユニット３，４の各機器３２，３４，Ｖ３１，４２，４４，Ｖ４１の制御状態を、ステップＳ３においてメモリ６２に記憶した制御状態に復帰させる。
【００９４】
（発電機から商用電源への電源切換）
まず、ステップＳ１１では、商用電源Ｐ１から発電機Ｐ２への電源切換の場合のステップＳ１と同様に、制御部６が目標温度、室内温度、および圧縮機の回転数に基づいて、発電機Ｐ２から商用電源Ｐ１への電源切換を行うか否かを判定する。すなわち、ステップＳ１１において制御部６は、発電機Ｐ２から商用電源Ｐ１への電源切換を行うのに適した条件か否かを判定しており、ステップＳ１１において行われる判定はステップＳ１と条件が逆の判定となる（第２切換条件）。ステップＳ１１が終了すると、ステップＳ１２〜ステップＳ１８の処理へ移行するが、ステップＳ１２〜ステップＳ１８の処理は、ステップＳ２〜ステップＳ８の処理と同じものであるため、説明を省略する。
【００９５】
＜特徴＞
（１）
本発明の空気調和装置１では、室外ユニット２が、第１電源としての商用電源Ｐ１から第２電源としての発電機Ｐ２への電源切換、または、発電機Ｐ２から商用電源Ｐ１への電源切換を行うことが可能な空気調和装置１である。そして、室外ユニット２が電源切換を行う際に、その旨を知らせる切換通知を室内ユニットへ送信する。室外ユニットが電源切換を行った直後に室内ユニットへ切換通知を送信して、室内ユニットが室外ユニットから送信された切換通知を受信した後に、切換通知を受信した時の室内ユニットの運転状態を第１状態として記憶する。室内ユニットは、切換準備を完了すると、室外ユニットへ準備完了通知を送信する。室外ユニットは、室内ユニットから送信された準備完了通知を受信すると、電源切換を行う。室外ユニットは、電源切換が完了するとその旨を室内ユニットへ通知する。室内ユニットは、室外ユニットが送信した切換完了通知を受信すると、その直後に室内ユニットの運転状態をメモリ６２に記憶した制御状態に戻す。
【００９６】
したがって、室内ユニット３，４は、室外ユニット２が電源切換を行うことを判定することができる。このため、室内ユニットは、電源切換が行われても不具合が生じないように、電源切換に対して対策をする時間的な余裕を得ることができる。これにより、室外ユニットが電源切換を行っても、室内ユニットは、室内ユニットに生じる不具合を防ぐことができ、ユーザに不快感を極力与えないようにすることができる。室内ユニットは、室外ユニットが電源切換完了したことをすぐに認識し、その認識に基づいて室内ユニットの運転状態を電源切換前の第１状態に戻すことができる。このため、室外ユニットによる電源切換が行われて、室内ユニットが瞬間的に停電状態になることにより室内ユニットの運転状態がリセットされても、室内ユニットの運転状態を第１状態に維持することができ、ユーザに不快感を極力与えないようにすることができる。
【００９７】
（２）
本発明の空気調和装置１では、室内ユニット３，４の制御状態には、室内膨張弁Ｖ３１，Ｖ４１の開度とルーバ３４，４４の角度とが含まれており、室内ユニット３，４は、切換準備の際に、室内膨張弁Ｖ３１，Ｖ４１の開度とルーバ３４，４４の角度とを第１状態として記憶することになる。したがって、室内ユニットが瞬間的に停電状態になることにより室内ユニットが有する膨張機構の開度とルーバの角度とがリセットされても、それらを第１状態に維持することができ、ユーザに不快感を極力与えないようにすることができる。
【００９８】
（３）
本発明の空気調和装置１では、室内ユニット３，４の運転状態に、冷房運転や暖房運転などの通常運転とは異なる特別制御中の制御状態が含まれ、特別制御には、露付回避制御や凍結防止制御などがある。露付回避制御は、冷房運転時において、室内熱交換器３１，４１により熱交換された後の空気が吹き出される吹出口や吹出口に付近に設けられるルーバ３４，４４に、露付きが起こることを防ぐ制御である。また、凍結防止制御は、室内熱交換器３１，４１に露付きや凍結が起こることを防ぐ制御である。そして、これらの特別制御では、タイマ６１によりその制御時間がカウントされており、例えば特別制御中の制御状態にはタイマ６１によるカウントが含まれる。
【００９９】
したがって、上述したような特別制御中に、電源切換が行われた場合に、特別制御が例えばどの程度進行していたかどうかという情報（すなわち特別制御中の制御状態）がリセットされて、再度はじめから特別制御が行われたり、特別制御が十分に行われていない状態のまま通常運転に戻ったりしてしまうという不具合が起こることを防ぐことができる。
【０１００】
＜変形例＞
（１）
上記実施形態における空気調和装置１では、第２電源としてガスエンジンに接続された発電機Ｐ２であるが、電源はこれに限らず、例えば太陽光を利用して発電する太陽光発電装置を室外ユニットに搭載して太陽光発電装置を第２電源として利用しても構わない。なお、この場合に、上記実施形態における電源切換の開始条件の判定（ステップＳ１）では、開始条件を太陽からの日照量の大小や天気予報などに基づいて開始条件の判定を行うことが考えられる。また、この変形例に伴い空気調和装置１は上記実施形態では圧縮機の動力にガスエンジンを利用したＧＨＰを採用しているが、太陽光発電装置を利用する場合には、ＧＨＰではなくとも良く圧縮機の動力としてモータを利用したＥＨＰを採用しても構わない。
【０１０１】
（２）
本発明では、室内ユニットは、準備完了通知を送信後に、例えばタイマ６１により所定時間をカウントして所定時間経過した後に、室内ユニットの運転状態を第１状態に戻す。この場合の所定時間とは、室内ユニットが準備完了通知を室外ユニットへ送信して、室外ユニットが電源切換を完了するまでにかかる時間よりも、少なくとも長い時間とする。したがって、室内ユニットは、室外ユニットが電源切換を完了した後に、所定時間をカウントすることで電源切換が完了したものと判断できる。
【産業上の利用可能性】
【０１０２】
本発明に係る空気調和装置は、ユーザに不快感を極力与えないように電源切換を行うことができるという効果を奏し、２系統の電源のいずれか一方から電力供給を受ける空気調和装置等として有用である。
【図面の簡単な説明】
【０１０３】
【図１】本発明の一実施形態に係る空気調和装置の冷媒回路の概略図
【図２】空気調和装置の電源系統図
【図３】空気調和装置の制御部のブロック図
【図４】凍結防止制御の制御条件を表す図
【図５】電源切換制御の処理の流れを表すフローチャート図（商用電源から発電機への電源切換）
【図６】電源切換制御の処理の流れを表すフローチャート図（発電機から商用電源への電源切換）
【図７】電源切換制御のタイムチャート図
【符号の説明】
【０１０４】
１          空気調和装置
２          室外ユニット
３，４      室内ユニット
２１          圧縮機
２２          ガスエンジン（エンジン）
３４，４４    ルーバ
Ｐ１          商用電源（第１電源）
Ｐ２          発電機（第２電源）
Ｖ３１，Ｖ４１  室内膨張弁（膨張機構）
【図１】
2010084991.tif 000003
【図２】
2010084991.tif 000004
【図３】
2010084991.tif 000005
【図４】
2010084991.tif 000006
【図５】
2010084991.tif 000007
【図６】
2010084991.tif 000008
【図７】
2010084991.tif 000009